(57)【要約】      （修正有）【課題】鳥類や小動物を飼育するためのケージ内に設置する電気製品のコードを通線穴に通した状態で拘束する閉塞装置及びこの閉塞装置を備えたケージを提供する。【解決手段】通線穴の閉塞装置９０は、板体に穿設されたプラグ付電気コード１００を通す通線穴に対し、この通線穴を未閉塞部９７を残して塞ぎ、前記未閉塞部９７内に前記プラグ付電気コード１００のコード１０２部分を拘束するカバー板９１を備えている。また、ケージは壁面に前記閉塞装置を備えている。【選択図】図４
2018126028.tif 000002
【特許請求の範囲】
【請求項１】
板体に穿設されたプラグ付電気コードを通す通線穴に対し、この通線穴を未閉塞部を残して塞ぎ、前記未閉塞部内に前記プラグ付電気コードのコード部分を拘束するカバー板を備えることを特徴とする通線穴の閉塞装置。
【請求項２】
前記通線穴およびカバー板のうちの少なくとも一方が、コード部分が通りかつプラグが通らない凹部を有し、この凹部において未閉塞部が形成される請求項１に記載の通線穴の閉塞装置。
【請求項３】
壁面に請求項１または２のうちのいずれかに記載の通線穴の閉塞装置を備えることを特徴とするケージ。
【発明の詳細な説明】
【技術分野】
【０００１】
本発明は、プラグ付電気コードを通した状態で通線穴を塞ぐ通線穴の閉塞装置と、この閉塞装置を備えるケージに関する。
【背景技術】
【０００２】
寒さに弱い鳥類や小動物を飼育する場合はケージ内部にヒーターを入れることがある。電気ヒーターの場合は電気コードをケージの外に引き出してコンセントに接続する（特許文献１、２参照）。
【０００３】
ケージには壁面が金網で構成されたものと板材で構成されたものがある。金網のケージでは金網の隙間からコードを引き出し、板材のケージでは壁面に通線穴を穿ってコードを引き出している。
【先行技術文献】
【非特許文献】
【０００４】
【非特許文献１】商品名「ほっととり暖 寄りそいヒーター」、２０１７年１月２６日検索、インターネット〈http://store.shopping.yahoo.co.jp/heaven-y/4249.html?sc_e=criteo_x〉
【非特許文献２】商品名「ホッとうさぽかヒーター」、２０１７年１月２７日検索、インターネット〈URL：http://www.gex-fp.co.jp/animal/catalog/keepwarm/usapoka_heater.html〉
【発明の概要】
【発明が解決しようとする課題】
【０００５】
板材のケージの通線穴はプラグが通る寸法で作製されているので、コードと通線穴の間には余分の隙間がある。また、金網のケージにおいてもプラグが通るだけの隙間があるので、コードと金網のワイヤの間には余分の隙間がある。このため、動物がコードを爪で引っかけてケージ内に引っ張り込むといったいたずらをすることがある。
【課題を解決するための手段】
【０００６】
本発明は、上述した背景技術に鑑み、コードを通線穴に通した状態で拘束できる通線穴の閉塞装置、およびこの閉塞装置を備えたケージの提供を目的とする。
【０００７】
即ち、本発明は下記［１］〜［３］に記載の構成を有する。
【０００８】
［１］板体に穿設されたプラグ付電気コードを通す通線穴に対し、この通線穴を未閉塞部を残して塞ぎ、前記未閉塞部内に前記プラグ付電気コードのコード部分を拘束するカバー板を備えることを特徴とする通線穴の閉塞装置。
【０００９】
［２］前記通線穴およびカバー板のうちの少なくとも一方が、コード部分が通りかつプラグが通らない凹部を有し、この凹部において未閉塞部が形成される前項１に記載の通線穴の閉塞装置。
【００１０】
［３］壁面に前１または２のうちのいずれかに記載の通線穴の閉塞装置を備えることを特徴とするケージ。
【発明の効果】
【００１１】
上記［１］に記載の通線穴の閉塞装置は、カバー板が未閉塞部を残して通線穴を塞ぎ、未閉塞部においてプラグ付電気コードのコード部分が拘束されるので、コードの引き戻しや引き出しを阻止することができる。
【００１２】
上記［２］に記載の通線穴の閉塞装置は、通線穴および／またはカバー板の凹部によって未閉塞部内に余分な空隙を形成することなくコードを拘束できる。
【００１３】
上記［３］に記載のケージは、壁面に穿設した通線穴に通したプラグ付電気コードのコード部分を閉塞装置の未閉塞部分において拘束することができる。このため、ケージ内に配置した電気器具のコードを前記閉塞装置によって拘束し、動物のいたずらによるコードを引っ張り込みを阻止できる。
【図面の簡単な説明】
【００１４】
【図１】本発明の通線穴の閉塞装置を備えたケージの全体斜視図である。
【図２】通線穴の拡大図である。
【図３】プラグ付電気コードをケージ外に引き出す手順を示す斜視図である。
【図４】プラグ付電気コードをケージ外に引き出す手順を示す斜視図である。
【図５】通線穴の閉塞装置の他の例を示す平面図である。
【図６】通線穴の閉塞装置のさらに他の例を示す平面図である。
【発明を実施するための形態】
【００１５】
図１〜図４に、本発明の通線穴の閉塞装置とこの閉塞装置を備えた小動物用ケージの一実施形態を示す。
【００１６】
ケージ１は、それぞれ樹脂製の底板１０、背板２０、左右の側板３０、前板４０、扉板５０および天板６０を組み立てた箱型であり、底板１０と前板４０の間に引き出し式トレイ７０が差し込まれている。。
【００１７】
図１および図２に示すように、前記背板２０の下方部の左右に通線穴８０が穿設され、この通線穴８０を塞ぐ閉塞装置９０が取り付けられている。前記通線穴８０は、ケージ１内に配置されるヒーター等のプラグ付電気コード１００をケージ１外に引き出すための穴である（図３参照）。
【００１８】
前記通線穴８０は、長方形の主穴部８１と、この主穴部８１の下辺中央に背板２０を切り欠いて形成された下半円形の溝８２とが一体化されてなる。前記主穴部８１はプラグ付電気コード１００のプラグ１０１が通る寸法に形成され、溝８２はコード１０２のみが通りプラグ１０１が通らない寸法に形成されている。また、前記主穴部８１の両脇に縦長穴８３が穿設されている。
【００１９】
前記閉塞装置９０は通線穴８０の主穴部８１を塞ぐ樹脂製のカバー板９１を備えている。前記カバー板９１は下辺中央に上半円形に切り欠かれた溝９２を有し、左右端近傍にボルト等の取付具を通す丸穴９３が穿設されている。前記カバー板９１は背板２０の内面に配置し、丸穴９３にボルト９４を通して背板２０の縦長穴８３に差し込み、背板２０の外面でワッシャーとナットを用いて固定される。
【００２０】
前記通線穴８０の溝８２およびカバー板９１の溝９２は本発明における凹部に対応し、これらの凹部において未閉塞部９７が形成される。ケージ１内に設置した電気器具のプラグ付電気コード１００を通線穴８０からケージ１外に引き出してコード１０１を拘束する手順は以下のとおりである。
【００２１】
まず、図３に示すように、背板２０の内面にカバー板９１を配置し、１組のボルト９４、ワッシャー、ナット等の取付具で緩く仮止めし、半回転させて通線穴８０を露出させておく。ケージ１の内側から通線穴８０にプラグ付電気コード１００を通し、ケージ１内にコード１０２を余らせないようにケージ１外に引き出しておく。
【００２２】
次に、前記コード１０２を溝８２内に納め、図４に示すように、カバー板９１を逆回転させて主穴部８１を塞ぐとともに、カバー板９１の溝９２を通線穴８０の溝８２に重ねる。前記溝９２および溝８２はいずれも樹脂板を取り除いた部分であるから、両者が重なった部分に未閉塞部９７が形成され、この未閉塞部９７内にコード１０２が納められている。未閉塞部９７を形成した後、もう１組のボルト９４、ワッシャー、ナットを装着してカバー板９１の左右を緩く仮止めする。仮止めしたカバー板９１を下げ、カバー板９１の溝９２の天と通線孔８０の溝８２の底とでコード１０２を挟んで未閉塞部９７内でコード１０２が動かないように拘束する。緩く仮止めした状態では、ボルト９４を背板２０の縦長穴８３内をスライドさせることによってカバー板９１の高さを調節できる。そして、コード１０２を拘束できる位置で左右のナットを締めてカバー板９１を固定する。
【００２３】
前記未閉塞部９７内に拘束されたコード１０２は、ケージ１内に引き戻すこともケージ外に引き出すこともできない。従って、動物がコードを引っ張り込むいたずらを阻止できる。
【００２４】
前記カバー板９１の閉塞方法は上記の例に限定されない。例えば、取付具を係合する背板２０の縦長穴８３を上方に延長してスライド範囲を拡大すれば、カバー板９１の左右を仮止めしたままで通線穴８０よりも高く上げて主穴部８１にプラグ１０１を通し、カバー板９１を下方にスライドさせてコード１０２を拘束することができる。また、前記カバー板９１はケージ１の内面および外面どちらにでも取り付けることができる。
【００２５】
また、通線穴８０の溝８２またはカバー板９１の溝９２のどちらか一方のみでも未閉塞部を形成することができる。図５の閉塞装置１１０は、主穴部８１のみの通線穴８４に対して図２の溝９２を有するカバー板９１を組み合わせ、溝９２が主穴部８１に重なるようにカバー板９１を取り付けることによって主穴部８１の一部分に未閉塞部が形成される。図６の閉塞装置１２０は、図２の溝８２付きの通線穴８０に対して溝を持たない角形のカバー板１２１を組み合わせ、カバー板１２１で主穴部８１のみを塞ぎ、溝８２を未閉塞部として用いた例である。
【００２６】
なお、通線穴およびカバー板のどちらにも溝（凹部）を形成せず、カバー板と通線穴の縁とでコードを挟み付ければコードの厚み相当の未閉塞部が形成され、かつ未閉塞部内でコードが拘束される。しかし、プラグはコードよりも大きいので、凹部無しで形成される未閉塞部には不要な空隙が生じる。このような不要な空隙は動物のいたずらの対象となるおそれがあるので、不要な空隙が生じないように、通線穴およびカバー板のうちの少なくとも一方に凹部を設けることが好ましい。
【００２７】
また、本発明は未閉塞部を通線穴の下部に設けることには限定されない。未閉塞部は通線孔の上部や左右の部分に設けることもできる。また、通線穴および閉塞装置の形成位置はケージの背面に限定されず、側面、天面、前面、底面のどの壁面にも形成することができる。また、金網のケージでは、壁面に通線穴を穿設した板体を固定し、この板にカバー板を取り付けることで本発明の閉塞装置を設置することができる。
【産業上の利用可能性】
【００２８】
本発明は内部に電気器具を設置する小動物飼育用のケージとして好適に使用される。
【符号の説明】
【００２９】
１…ケージ
２０…背板（板体、壁面）
８０、８４…通線穴
８１…主穴部
８２…溝（凹部）
９０、１１０、１２０…閉塞装置
９１、１２１…カバー板
９２…溝（凹部）
１００…プラグ付電気コード
１０１…プラグ
１０２…コード
【図１】
2018126028.tif 000003
【図２】
2018126028.tif 000004
【図３】
2018126028.tif 000005
【図４】
2018126028.tif 000006
【図５】
2018126028.tif 000007
【図６】
2018126028.tif 000008